(57)【特許請求の範囲】
【請求項１】
液透過性のトップシートと、液不透過性のバックシートと、前記トップシート及び前記バックシートの間に配置される吸収体と、を有し、前部、股部及び後部を有する吸収性物品であって、
前記吸収性物品は、幅方向中心線の両側に、前記前部から前記股部を通過して前記後部に至る圧搾溝を有しており、
前記圧搾溝及び前記圧搾溝に隣接する部位に、前記吸収体が存在していないか、前記圧搾溝及び前記圧搾溝に隣接する部位の前記吸収体の坪量が、周囲に比して低くなっており、
前記前部及び前記後部の圧搾溝の深さが、前記股部の圧搾溝の深さよりも深い、吸収性物品。
【請求項２】
前記股部における体液排出部に、前記吸収体の坪量が周囲に比して高くなった嵩高部を有する、請求項１に記載の吸収性物品。
【請求項３】
前記圧搾溝及び前記圧搾溝に隣接する部位の前記吸収体の坪量が、０ｇ／ｍ２以上４２０ｇ／ｍ２以下であり、前記体液排出部の前記吸収体の坪量が、２１０ｇ／ｍ２以上１８２０ｇ／ｍ２以下である、請求項２に記載の吸収性物品。
【請求項４】
前記前部及び前記後部の圧搾溝の溝幅が、前記股部の圧搾溝の溝幅よりも狭い、請求項１から３のいずれかに記載の吸収性物品。
【発明の詳細な説明】
【技術分野】
【０００１】
本発明は、圧搾溝が設けられ、長手方向への体液の拡散性が改善された吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。ここで、従来、吸収性物品においては、体液の吸収性を改善するため、トップシートから吸収体に亘るエンボス加工を施すことが広く行われている。また、軽失禁パッドや生理用ナプキン等においては、着用時のフィット性を向上させる目的も兼ねて、吸収性物品の長手方向両側縁部にエンボス溝（圧搾溝、フィットエンボス）を設けることも一般的であり、圧搾溝の底面や側壁に凹凸を設け、排泄された体液の拡散を促すことも行われている。
【０００３】
着用時のフィット性を向上させるために、圧搾溝を設けた吸収性物品としては、例えば、特許文献１に、少なくともトップシート、バックシート、及び吸収体を有し、身体接触側表面における、吸収体の中央領域の長手方向両側縁部に圧搾溝が配置され、かつ複数の点状の圧搾部が間隔を空けて配置された吸収性物品が開示されている。また、特許文献２には、トップシートと、バックシートと、吸収体とからなり、吸収体が位置する領域の身体接触側表面の両側に、長手方向に延びるとともに中央部において間隔が狭くなった一対の圧搾溝が形成され、この圧搾溝は、長手方向に相互に並列する高圧搾部と低圧搾部とを有することを特徴とする生理用ナプキンが開示されている。
【０００４】
特許文献１及び２の吸収性物品においては、その幅方向中央部に排泄された体液は幅方向に広がり、圧搾溝に達した後、圧搾溝を伝わって前後方向に拡散するものとされている。
【先行技術文献】
【特許文献】
【０００５】
【特許文献１】特開２０１０−１４８７０８号公報
【特許文献２】特開平０９−１０８２６２号公報
【発明の概要】
【発明が解決しようとする課題】
【０００６】
しかしながら、特許文献１及び２のいずれの吸収性物品においても、圧搾溝に保持される体液は、前後方向に拡散するにつれて移動量が低下する傾向にあり、圧搾溝に保持される体液は、吸収性物品の長手方向両端部には到達しないまま、横漏れする可能性があった。したがって、本発明は、以上の課題に鑑みてなされたものであり、圧搾溝を有し、排泄された体液を、吸収性物品の長手方向両端部にも十分に拡散させることが可能な吸収性物品を提供することを目的とする。
【課題を解決するための手段】
【０００７】
本発明の発明者らは、上記課題に鑑み、鋭意研究を行った。その結果、トップシートと、バックシートと、吸収体と、を有し、幅方向中心線の両側に、前部から股部を通過して後部に至る圧搾溝を有する吸収性物品において、圧搾溝及び圧搾溝に隣接する部位の吸収体の坪量を調整することにより、上記課題を解決できることを見出し、本発明を完成するに至った。具体的には、本発明は以下のものを提供する。
【０００８】
（１）  本発明の第１の態様は、液透過性のトップシートと、液不透過性のバックシートと、上記トップシート及び上記バックシートの間に配置される吸収体と、を有し、前部、股部及び後部を有する吸収性物品であって、上記吸収性物品は、幅方向中心線の両側に、上記前部から上記股部を通過して上記後部に至る圧搾溝を有しており、上記圧搾溝及び上記圧搾溝に隣接する部位に、上記吸収体が存在していないか、上記圧搾溝及び上記圧搾溝に隣接する部位の上記吸収体の坪量が、周囲に比して低くなっており、前記前部及び前記後部の圧搾溝の深さが、前記股部の圧搾溝の深さよりも深い、吸収性物品である。
【０００９】
（２）  本発明の第２の態様は、（１）に記載の吸収性物品であって、上記股部における体液排出部に、上記吸収体の坪量が周囲に比して高くなった嵩高部を有することを特徴とする。
【００１０】
（３）  本発明の第３の態様は、（２）に記載の吸収性物品であって、上記圧搾溝及び上記圧搾溝に隣接する部位の上記吸収体の坪量が、０ｇ／ｍ２以上４２０ｇ／ｍ２以下であり、上記体液排出部の上記吸収体の坪量が、２１０ｇ／ｍ２以上１８２０ｇ／ｍ２以下であることを特徴とする。
【００１１】
（削除）
【００１２】
（４）  本発明の第４の態様は、（１）から（３）のいずれかに記載の吸収性物品であって、上記前部及び上記後部の圧搾溝の溝幅が、上記股部の圧搾溝の溝幅よりも狭いことを特徴とする。
【発明の効果】
【００１３】
本発明の吸収性物品は、幅方向中心線の両側に圧搾溝を有しており、この圧搾溝及び圧搾溝に隣接する部位に、吸収体が存在しないか、これらの部位の吸収体の坪量が周囲に比して低くなっており、これにより、圧搾溝の底部の吸収体量が低減し、周囲に比して疎水性を帯びたものとなっている。これにより、吸収性物品の体液排出部に排泄された体液が、第一次的には迅速に圧搾溝に到達するとともに、第二次的には圧搾溝に到達した体液が、圧搾溝の疎水性のために圧搾溝自体では吸収されず、素早く前部及び後部の圧搾溝に拡散する。このため、排泄された体液が、吸収性物品の長手方向両端部も含めた吸収体の全域に拡散しやすくなり、体液の横漏れも効果的に防止される。
【００１４】
さらに、本発明の好ましい態様においては、股部における圧搾溝の溝幅が相対的に広くかつ浅く、前部及び後部における圧搾溝の溝幅が相対的に狭くかつ深く構成されているので、圧搾溝の底部の吸収体量を低減し、圧搾溝の疎水性を増大させた構成と相俟って、前部及び後部に伝わった体液の波の高さが高まるとともに、圧搾溝の側壁との接触面積が増加して、周囲吸収体にすばやく吸収されることとなる。
【図面の簡単な説明】
【００１５】
【図１】本発明の吸収性物品をトップシート側から見た平面図である。
【図２】図１におけるＸ１−Ｘ１断面形状を示す図面である。
【図３】本発明の吸収性物品の、（ａ）股部並びに（ｂ）前部及び後部における、着用時の変形の様子を示す図面である。
【図４】（Ａ）股部と（Ｂ）前部及び後部とにおいて、体液が吸収される様子のイメージを示す図面である。
【発明を実施するための形態】
【００１６】
以下、図１から図３を参照して、本発明の実施形態に係る吸収性物品１について詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体接触側表面とは、吸収性物品１の着用時に着用者の肌に当接する表面を指し、衣類接触側表面とは、吸収性物品１の着用時に着用者の衣類に当接する表面を指す。本明細書においては、吸収性物品１の身体接触側表面側を上側と称し、衣類接触側表面側を下側と称することがある。
【００１７】
＜吸収性物品＞
図１は、本発明の吸収性物品１をトップシート１０側から見た平面図であり、図２は、図１におけるＸ１−Ｘ１断面形状を示す図面である。本発明の実施形態に係る吸収性物品１としては、図１に示すような軽失禁パッドが例示されるが、本発明はこれに限定されるものではなく、軽失禁ライナー、生理用ナプキン、その他の吸収性物品であってもよい。吸収性物品１は、身体接触側表面に配置された液透過性のトップシート１０と、トップシート１０に対向し、衣類接触側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。吸収性物品１は、着用者の前側に位置する前部１ａと、着用者の股間に位置する股部１ｂと、着用者の後側に位置する後部１ｃとを有し、それぞれの領域に圧搾溝２１が形成されている。
【００１８】
［トップシート］
トップシート１０は、吸収体２０に向けて体液を速やかに通過させるものであり、吸収体２０を挟んで、バックシート３０と対向して配置されている。トップシート１０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート１０は、単層であっても、複数層積層していてもよく、ドライタッチ性を付与するために多数の透孔が形成されていてもよい。
【００１９】
不織布としては、ポリエチレンやポリプロピレン等の合成繊維やレーヨン等の再生繊維、綿等の天然繊維を用いて、サーマルボンド法のほか、スパンレース法やスパンボンド法等の公知の加工法によって得られたものも用いることができる。加工性及び強度の点から、トップシート１０の坪量は、１８ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形状等の形状を有していてもよく、吸収体２０の側縁よりも若干外方に延在して設けられていてもよい。
【００２０】
なお、本発明においては、吸収体２０の上面への体液の拡散を促進するため、トップシート１０と吸収体２０との間に、液拡散性シートを設けてもよい。斯かる液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚さは０．１ｍｍ以上であることが好ましく、その坪量は１５ｇ／ｍ２以上であることが好ましい。液拡散性シートの形状は、特に制限はないが、尿等の液体がくまなく吸収体２０に拡散するよう、吸収体２０の表面を完全に覆うことができる形状であることが好ましい。
【００２１】
［バックシート］
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股部が位置づけられる長手方向中央に括れ部を有する砂時計形状、略矩形状等の形状を有していてもよく、吸収体２０の側縁より若干外方に延在して設けられていてもよい。バックシート３０の衣類接触側表面には、着用時に下着等に吸収性物品１を固着するための粘着剤層６０が設けられていてもよい。吸収性物品１が粘着剤層６０を有する場合、粘着剤層６０を保護するための剥離シート６５を有していてもよく、この剥離シート６５は、吸収性物品１の包装シートと一体となっていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００２２】
［吸収体］
吸収体２０は、基材としての吸収性繊維と、高吸水性ポリマー（以下、ＳＡＰとも称する）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。
【００２３】
吸収体２０の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２４】
吸収体２０において、吸収性繊維及びＳＡＰの形態は、吸収性繊維中にＳＡＰ粒子を混合して形成した積層マットの形態であることが好ましい。また、ＳＡＰ粒子の漏洩防止や吸収体２０の形状の安定化の目的から、吸収体２０をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２５】
吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２６】
（低米坪部及び嵩高部）
図１及び図２に示すように、本発明の吸収性物品１においては、後述する圧搾溝２１及び圧搾溝２１に隣接部位に、吸収体２０が存在していないか、この部位の吸収体２０の坪量が周囲に比して低くなった、低米坪部２２が形成されている。吸収性物品１の圧搾溝２１及び圧搾溝２１に隣接する部位に、低米坪部２２が形成されていることにより、圧搾溝２１及び圧搾溝２１に隣接する部位の吸収体２０の高さが周囲に比して低くなるとともに、圧搾溝２１の底部に存在する吸収体２０の量も低減するので、圧搾溝２１の疎水性が向上する。これにより、図４（Ａ）に示すように、吸収性物品１の体液排出部に排泄された体液が、迅速に圧搾溝２１に到達するとともに、圧搾溝２１に到達した体液は、圧搾溝２１底部の疎水性により、前部１ａ及び後部１ｃの圧搾溝２１に迅速に拡散する。このため、排泄された体液が、吸収性物品１の長手方向両端部も含めた吸収体２０の全域に拡散しやすくなり、体液の横漏れを効果的に防止することができる。また、本発明の吸収性物品１においては、体液排出部に、吸収体２０の坪量が周囲に比して高くなった嵩高部２３を有していることが好ましい。吸収性物品１が嵩高部２３を有していることにより、排泄された体液が迅速に前後左右の圧搾溝２１に到達するので、前部１ａ及び後部１ｃに体液が拡散されやすくなる。
【００２７】
本発明の吸収性物品１における、低米坪部２２及び嵩高部２３を除く部位の吸収体２０の坪量は、吸収性物品１の吸収量によっても異なるが、吸収性繊維及び高吸水性ポリマーの重量を合算した重量を基準として、２００ｇ／ｍ２以上１４００ｇ／ｍ２以下であることが好ましく、４００ｇ／ｍ２以上１３００ｇ／ｍ２以下であることがより好ましい。吸収体２０の坪量を上記の範囲内のものとすることにより、吸収性物品１の吸収性能と着用感を共に良好に維持することができる。
【００２８】
一方、圧搾溝２１を含む低米坪部２２においては、吸収体２０の坪量は、低米坪部２２及び嵩高部２３を除く部位の吸収体の坪量に比較して、０％以上３０％以下であることが好ましく、０％以上２０％以下であることがより好ましい。具体的には、低米坪部２２における吸収体２０の坪量は、吸収性繊維及び高吸水性ポリマーの重量を合算した重量を基準として、０ｇ／ｍ２以上４２０ｇ／ｍ２以下であることが好ましく、０ｇ／ｍ２以上２８０ｇ／ｍ２以下であることがより好ましい。低米坪部２２の坪量を以上のように調整することにより、吸収体２０の吸収性能を良好に維持しつつ、体液排出部に排出された体液を迅速に吸収体２０上に拡散させることができる。嵩高部２３においては、吸収体２０の坪量は、低米坪部２２及び嵩高部２３を除く吸収体２０の坪量に比較して、５％以上３０％以下割り増しされていることが好ましく、１０％以上３０％以下割り増しされていることがより好ましい。具体的には、嵩高部２３における吸収体２０の坪量は、吸収性繊維及び高吸水性ポリマーの重量を合算した重量を基準として、２１０ｇ／ｍ２以上１８２０ｇ／ｍ２以下であることが好ましく、２２０ｇ／ｍ２以上１８２０ｇ／ｍ２以下であることがより好ましい。嵩高部２３の坪量を以上のように調整することにより、吸収性物品１の着用感を良好に維持しつつ、体液排出部に排出された体液を迅速に吸収体２０上に拡散させることができる。
【００２９】
低米坪部２２及び嵩高部２３の形成方法は、特に限定されるものではないが、例えば、低米坪部２２は、吸収体２０を成形するに際して、圧搾溝２１及び圧搾溝２１に隣接する部位により多くの吸収体２０を配置しないように成形することにより形成することができる。一方、嵩高部２３は、図２に示すように、吸収体２０を、嵩高部２３を構成する上層吸収体２０１と他の部位を構成する下層吸収体２０２とに区分し、上層吸収体２０１と下層吸収体２０２とを積層することにより形成してもよい。嵩高部２３は、図２とは逆に、幅の広い吸収体を上層吸収体２０１とし、幅の狭い吸収体を下層吸収体２０２とすることにより形成してもよい。
【００３０】
［圧搾溝］
本発明の吸収性物品１は、長手方向に沿って、幅方向中心線の両側に、前部１ａから股部１ｂを通過して後部１ｃに至る圧搾溝２１を有している。換言すれば、本発明の吸収性物品１は、前部１ａ、股部１ｂ、及び後部１ｃにおいて、幅方向中心線の両側に、それぞれ圧搾溝２１を有し、股部１ｂの圧搾溝２１は、前部１ａ及び後部１ｃの圧搾溝２１とそれぞれ連結している。図１に示すように、本発明において、圧搾溝２１は、吸収性物品１の幅方向中心線を軸として左右対称に設けられていることが好ましく、前部１ａ及び後部１ｃにおける左右の圧搾溝２１は、吸収性物品１の長手方向両端部において連結し、弧を描く構成となっていることが好ましい。なお、圧搾溝２１は、股部１ｂの幅方向中央部を避けて設けられているが、このような構成とすることにより、吸収性物品１の体液排出部付近における肌当たりを良好なものとすることができる。
【００３１】
ここで、本発明においては、体液の移動を促進するために、前部１ａ及び後部１ｃの圧搾溝２１の深さは、股部１ｂの圧搾溝２１の深さよりも深くなっていることが好ましい。前部１ａ、股部１ｂ、及び後部１ｃの圧搾溝２１の深さを、そのような構成とすることにより、前部１ａ、股部１ｂ、及び後部１ｃにおける圧搾溝２１の溝幅を調整する構成とも相俟って、前部１ａ及び後部１ｃの圧搾溝２１に到達した体液と圧搾溝２１の側壁との接触面積が増加して、周囲の吸収体にすばやく吸収されることとなるとともに、より早い速度で圧搾溝２１を拡散しやすくなり、吸収性物品１上の体液が、その長手方向両端部にまで十分に拡散できるようになる。したがって、吸収性物品１上の体液が、吸収体２０の全面で吸収されるので、体液が迅速に吸収されるとともに、体液の横漏れがより防止される。
【００３２】
本発明の吸収性物品１は、上述のとおり、圧搾溝２１に隣接して、低米坪部２２を有し、好ましくは体液排出部において嵩高部２３を有している。このような低米坪部２２及び嵩高部２３を有していることにより、図３に示すように、吸収性物品１の着用時においては、股部１ｂにおいて、一対の圧搾溝２１を谷としてＷ字状に変形しやすくなる。着用時に吸収性物品１がこのように変形することにより、吸収性物品１のフィット性が向上するとともに、体液排出部に排出された体液は、圧搾溝２１により保持されやすくなるが、一方で、前部１ａ及び後部１ｃにおいては、着用時の吸収性物品１の変形が少ないので、圧搾溝２１での体液の保持されやすさが、股部１ｂに比べて低減しうるという懸念がある。本発明の好ましい態様においては、上述のとおり、前部１ａ及び後部１ｃの圧搾溝２１の深さを、股部１ｂの圧搾溝２１の深さよりも深く設定するので、前部１ａ及び後部１ｃの圧搾溝２１においても体液が保持されやすくなり、前部１ａ及び後部１ｃの吸収体２０も含めた、吸収体２０の全域において体液を吸収することができるようになる。
【００３３】
ここで、本発明の吸収性物品１における圧搾溝２１の深さは、股部１ｂにおいては、吸収体２０の厚みに対して、３０％以上９０％以下であることが好ましく、４０％以上８０％以下であることがより好ましい。また、圧搾溝２１の深さは、前部１ａ及び後部１ｃにおいては、吸収体２０の厚みに対して、４０％以上９５％以下であることが好ましく、５０％以上９０％以下であることがより好ましい。圧搾溝２１の深さを上記の範囲内のものとすることにより、吸収体２０の吸収性能を良好に維持しつつも、特に前部１ａ及び後部１ｃにおいて圧搾溝２１の底部及び周囲の吸収体２０の密度が高密度となるため、排泄された体液を長手方向両端部に迅速に拡散させることができる。吸収体２０の厚さは、吸収性物品１の吸収性能によって異なるが、圧搾溝２１の深さは、吸収体２０の厚さとの関係で上記の条件を充足する範囲内で、股部１ｂにおいて０．５ｍｍ以上５ｍｍ以下とすることが好ましく、前部１ａ及び後部１ｃにおいて０．７ｍｍ以上７ｍｍ以下とすることが好ましい。
【００３４】
なお、本発明の吸収性物品１においては、前部１ａ及び後部１ｃの圧搾溝２１の溝幅が、股部１ｂの圧搾溝２１の溝幅よりも狭いことが好ましい。圧搾溝２１の溝幅を股部１ｂから前部１ａ又は後部１ｃにかけて狭まる構成を採用することにより、図４（Ｂ）（ａ）に示すように、前部１ａ及び後部１ｃに伝わった体液の波の高さが高まって、前後方向に素早く移動するとともに、圧搾溝２１の側壁との接触面積が増加して、体液がすばやく付近の吸収体２０に吸収されることとなる。一方、図４（Ｂ）（ｂ）では、圧搾溝２１の溝幅が一定になっているが、前部１ａ及び後部１ｃに伝わった体液の波の高さが高く維持されないため、図４（Ｂ）（ａ）に比較すれば、体液が前後方向に移動する速度が低下することになる。なお、圧搾溝２１の溝幅は、股部１ｂにおいては、２ｍｍ以上１２ｍｍ以下であることが好ましく、３ｍｍ以上６ｍｍ以下であることがより好ましい。また、圧搾溝２１の溝幅は、体液と吸収体２０との接触面積を増加させるために、前部１ａ及び後部１ｃにおいては、１ｍｍ以上６ｍｍ以下であることが好ましく、１ｍｍ以上３ｍｍ以下であることがより好ましい。圧搾溝２１の溝幅を上記の範囲内のものとすることにより、上記の効果に加えて、吸収性物品１の着用者への着用感やフィット性を良好に維持するとともに、排泄された体液を圧搾溝２１で確実に保持し、かつ長手方向両端部に迅速に拡散させることができる。
【００３５】
なお、以上の説明においては、前部１ａ及び後部１ｃと、股部１ｂとで、圧搾溝２１の溝幅及び深さを別々に調整する態様について説明したが、圧搾溝２１の溝幅及び深さは、前部１ａ及び後部１ｃ、並びに股部１ｂで、それぞれ一定である必要はなく、股部１ｂから前部１ａ及び後部１ｃにかけて、圧搾溝２１の溝幅や深さを徐々に変化させてもよく、股部１ｂの圧搾溝２１の溝幅が、長手方向中心部付近から前部１ａ及び後部１ｃに向かい、徐々に狭くなり、股部１ｂの圧搾溝２１の深さが、長手方向中心部付近から前部１ａ及び後部１ｃに向かい、徐々に深くなる構成を採用してもよい。
【００３６】
本発明においては、図１に示すように、前部１ａの圧搾溝２１及び股部１ｂの圧搾溝２１の連結点、及び後部１ｃの圧搾溝２１及び股部１ｂの圧搾溝２１の連結点において、前部１ａの圧搾溝２１及び後部１ｃの圧搾溝２１が分岐していることが好ましい。これにより、圧搾溝２１に保持される体液を、吸収性物品１の前部１ａ及び後部１ｃの吸収体２０の表面に、より広く拡散させることが可能となる。ここで、圧搾溝２１を吸収性物品１の幅方向中心線を軸として左右対称に配置している場合、前部１ａ及び後部１ｃで分岐した２対の圧搾溝２１は、長手方向両端部においてそれぞれ連結され、前部１ａ及び後部１ｃにおいて、圧搾溝２１が二重の弧を描くような構成となっていてもよい。
【００３７】
［圧搾溝底部の微小パターン］
本発明においては、圧搾溝２１の底部に、高吸水性ポリマーによる微小パターンを設けて、圧搾溝２１が体液と接触した後、長手方向両端部に到達した体液が、長手方向中心部に逆流することを防止してもよい。このような圧搾溝２１の底部の微小パターンとしては、圧搾溝２１の全幅に亘り、長手方向中心部寄りの端部の高吸水性ポリマーの量がより少なく、長手方向両端部寄りの端部の高吸水性ポリマーの量がより多くなる、複数の鋸歯状の微小パターンを挙げることができる。このような微細パターンを形成することにより、圧搾溝２１の底部が体液と接触した後、体液を吸収して膨潤した微細パターンが体液の逆流をせき止めるための堰としての役割を果たすので、長手方向中心部から長手方向両端部方向への体液の流れを妨げることなく、体液の逆流を防止することができる。
【００３８】
このような微小パターンは、例えば、エンボス加工により圧搾溝２１を形成する際、圧搾溝２１の底部に対応するエンボスロールの凸部に、この微細パターンに対応する凹部を形成する方法や、圧搾溝２１と直交する帯状の吸収性シートを利用して、微細パターンを形成する方法により形成することが好ましい。吸収性シートは、ＳＡＰを使用したものであってもよい。
【００３９】
［立体ギャザー］
吸収性物品１の身体接触側表面には、立体ギャザー５０が設けられていてもよい。この立体ギャザー５０は、トップシート１０とともに体液の閉じ込め空間を形成し、体液の横漏れを防止できるようになっている。立体ギャザー５０は、立体ギャザーシート５１と、立体ギャザーシート５１の自由端部に沿って配された伸縮性弾性部材５２と、を備えていることが好ましい。伸縮性弾性部材５２としては、天然ゴム、合成ゴム、及びポリウレタン等からなる、糸状、紐状、平型形状のものを適宜使用することができる。
【００４０】
＜吸収性物品の製造方法＞
吸収性物品１の製造方法としては、特に限定はなく、従来公知の方法を採用することができる。例えば、必要に応じて、液拡散性シート及び立体ギャザー５０をあらかじめトップシート１０上に配置し、このトップシート１０とバックシート３０との間に吸収体２０を挟持する。そして、トップシート１０から吸収体２０に亘る圧搾溝２１を形成させつつ、トップシート１０とバックシート３０とを一部又は全周に亘ってホットメルト接着剤やヒートエンボス、超音波エンボス、高周波エンボス等を用いて固定することで製造することができる。最後に、これを包装体に個別包装した後、長手方向に３つ折り等にして折り畳めばよい。
【００４１】
以上、実施形態を用いて本発明を説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４２】
１      吸収性物品
１ａ    前部
１ｂ    股部
１ｃ    後部
１０    トップシート
２０    吸収体
２０１  上層吸収体
２０２  下層吸収体
２１    圧搾溝
２２    低米坪部
２３    嵩高部
３０    バックシート
５０    立体ギャザー
５１    立体ギャザーシート
５２    伸縮性弾性部材
６０    粘着剤層
６５    剥離シート
【図１】
0006641559.tif 000002
【図２】
0006641559.tif 000003
【図３】
0006641559.tif 000004
【図４】
0006641559.tif 000005